(57)【要約】【課題】主制御装置側と乗りかご側との間で信号の安定した無線伝送を行なう。【解決手段】エレベータ制御装置１側の無線データ伝送装置９ａによる送受信アンテナとして第１の漏洩同軸ケーブル１０ａを設ける。また、乗りかご制御装置１７側の無線データ伝送装置９ｂの送受信アンテナとして第２の漏洩同軸ケーブル１０ｂを設けて、漏洩同軸ケーブル１０ａと漏洩同軸ケーブル１０ｂを対向させ、各々の漏洩同軸ケーブルに設けられたスロットからの無線電波の送受信方向を対向させる。さらに乗りかご５に第２の漏洩同軸ケーブル１０ｂの設置箇所の調整機構１５を設けて、エレベータ制御装置１と乗りかご５の間で制御信号を無線伝送する。【選択図】      図１
2007091441.tif 000002
【特許請求の範囲】
【請求項１】
主制御装置からの信号を当該主制御装置による走行制御対象の乗りかご側の制御装置に向けて無線伝送する無線伝送手段に接続する第１の漏洩同軸ケーブルと、
前記乗りかご側の制御装置からの信号を主制御装置に向けて無線伝送する無線伝送手段に接続する第２の漏洩同軸ケーブルとを備え、
前記第１の漏洩同軸ケーブルと前記第２の漏洩同軸ケーブルを並行して配置し、各々のスロットからの無線電波の送受信方向を対向させ、各々の漏洩同軸ケーブルが受信する電波の強度が予め定められた条件を満たすように、各漏洩同軸ケーブルの間隔を設けて据付け固定する
ことを特徴とするエレベータの信号伝送装置。
【請求項２】
前記第１及び第２の漏洩同軸ケーブルからの主たる無線電波の輻射角度がケーブルに対して垂直以外であり、前記第１の漏洩同軸ケーブル内を伝送する送信電力と前記第２の漏洩同軸ケーブル内を伝送する送信電力の進行方向が互いに反対になるように各々の漏洩同軸ケーブルに接続する無線伝送手段を異なる側の端部に接続し、これにより各々のスロットからの無線電波の送受信方向が対向するようにしたことを特徴とする請求項１に記載のエレベータの信号伝送装置。
【請求項３】
乗りかごに取り付けられる第１の固定具と、
前記第２の漏洩同軸ケーブルが取り付けられ、かつ、予め定められた範囲のうち任意の箇所で前記第１の固定具と螺合する第２の固定具と
をさらに備えたことを特徴とする請求項１に記載のエレベータの信号伝送装置。
【請求項４】
昇降路に前記第１の漏洩同軸ケーブルを固定する固定具と、エレベータのガイドレールを固定する固定部材とのうち少なくとも一部分が共用であることを特徴とする請求項１または請求項２に記載のエレベータの信号伝送装置。
【発明の詳細な説明】
【技術分野】
【０００１】
本発明は、主制御装置側と乗りかご側との間で信号の伝送を行なうエレベータの信号伝送装置に関する。
【背景技術】
【０００２】
従来、エレベータの信号伝送装置においては、テールコードを介してエレベータ制御装置あるいは群管理制御装置と乗りかご間で信号伝送を行なう方法が主流であった。
【０００３】
しかしながら近年は建築物の高層化や情報伝送量の増加に伴いテールコードの重量が増加し、また、エレベータ高速化に伴うテールコードの挙動によってエレベータの乗り心地に悪影響を及ぼすようになってきたため、無線による信号伝送装置の開発が進められている。
【０００４】
このような信号伝送装置としては、エレベータホールの乗りかご呼び登録釦や現在階床案内表示やサービス階案内表示を制御する無線端末装置を設け、信号を無線端末経由で中継して、目的とする端末や制御装置に伝送する方式がある（例えば特許文献１及び特許文献２参照）。
【０００５】
また、漏洩同軸ケーブルを用いてエレベータ制御装置と乗りかごの制御信号を無線送受信する方法（例えば特許文献３参照）が提案されている。
【特許文献１】特開２００１−１５１４２９号公報
【特許文献２】特開２００２−３４８０６１号公報
【特許文献３】特開平２−６６０８６号公報
【発明の開示】
【発明が解決しようとする課題】
【０００６】
このような手法では一般に開発コストおよび運用コストを抑えるために無線免許が不要な周波数帯で信号の無線伝送を行なっている。しかし、この手法では同一周波数帯による信号の無線伝送を行なっている他の機器からの電波干渉を受ける場合がある。この場合には伝送エラーが頻発し、データ再送処理等が必要になるため、近年の乗りかご内へのインフォメーションシステムや、監視カメラなどを用いたセキュリティシステムなどのエレベータ付加価値製品に対して十分な実効データ伝送速度を確保できなかった。
【０００７】
そこで、本発明の目的は、主制御装置側と乗りかご側との間で信号の安定した無線伝送を行なうことが可能になるエレベータの信号伝送装置を提供することにある。
【課題を解決するための手段】
【０００８】
すなわち、本発明に係わるエレベータの信号伝送装置は、主制御装置からの信号を当該主制御装置による走行制御対象の乗りかご側の制御装置に向けて無線伝送する伝送手段に接続する第１の漏洩同軸ケーブルと、乗りかご側の制御装置からの信号を主制御装置に向けて無線伝送する伝送手段に接続する第２の漏洩同軸ケーブルとを備え、第１の漏洩同軸ケーブルと第２の漏洩同軸ケーブルを並行して配置し、各々のスロットからの無線電波の送受信方向を対向させ、各々の漏洩同軸ケーブルが受信する電波の強度が予め定められた条件を満たすように各漏洩同軸ケーブルの間で間隔を設けて据付け固定することを特徴とする。
【発明の効果】
【０００９】
本発明に係わるエレベータの信号伝送装置では、第１の漏洩同軸ケーブルと第２の漏洩同軸ケーブルを並行して配置し、各々のスロットからの無線電波の送受信方向を対向させて無線伝送するので、十分な電界強度が得られると共に電界強度の変動を抑制できるため、主制御装置側と乗りかご側との間で信号の安定した無線伝送を行なうことができる。
【発明を実施するための最良の形態】
【００１０】
以下図面により本発明の実施形態について説明する。  
図１は、本発明の実施形態にしたがったエレベータの構成例を示す鳥瞰図である。  
本発明の実施形態にしたがったエレベータでは、乗りかご５は巻き上げ機（図示せず）のモータ軸に設けられたシーブ２に巻き掛けられた主索３を介してつり合いおもり４と連結される。
【００１１】
また、機械室１３にエレベータ制御装置（主制御装置）１が設置される。エレベータ制御装置１は機械室１３に限らず例えば昇降路１４内や図示しないエレベータホールドアの戸袋部に設置してもよい。乗りかご５は乗りかご制御装置１７を備える。乗りかご制御装置１７は当該乗りかご５に搭載される図示しないドアの開閉を制御するドア制御装置、図示しない荷重センサ、ドアの開閉状態を検出するセンサ、着床レベルを検出するセンサ、図示しない各種インジケータおよび図示しない行先階指定釦などと接続される。
【００１２】
機械室１３には無線ＬＡＮ機器や無線モデムからなる無線データ伝送装置９ａが設けられる。無線データ伝送装置９ａはエレベータ制御装置１と接続される。同様に、乗りかご５には無線ＬＡＮ機器や無線モデムからなる無線データ伝送装置９ｂが設けられる。無線データ伝送装置９ｂは乗りかご制御装置１７と接続される。
【００１３】
無線データ伝送装置９ａには給電線１２ａを介して第１の漏洩同軸ケーブル１０ａが接続される。第１の漏洩同軸ケーブル１０ａの先端には終端抵抗１１ａが取り付けられる。無線データ伝送装置９ｂには給電線１２ｂを介して第２の漏洩同軸ケーブル１０ｂが接続される。第２の漏洩同軸ケーブル１０ｂの先端には終端抵抗１１ｂが取り付けられる。第２の漏洩同軸ケーブル１０ｂはこのケーブルの設置箇所の調整機構１５を介して乗りかご５に取り付けられる。この調整機構１５については後述する。
【００１４】
このように構成されたエレベータにおいて、エレベータ制御装置１は図示しない乗場呼び釦や行先階指定釦あるいは図示しないセキュリティ装置と連携して生成される呼び登録にしたがって巻き上げ機を駆動してシーブ２を回転させ、つり合いおもり４とともに互いに上下反対方向に昇降して乗りかご５を所定の階床に着床制御する。
【００１５】
無線データ伝送装置９ａはエレベータ制御装置１から乗りかご５への出力対象となる信号を変調して、この信号を第１の漏洩同軸ケーブル１０ａから無線データ伝送装置９ｂに送信する。無線データ伝送装置９ｂは無線データ伝送装置９ａから送信された信号を第２の漏洩同軸ケーブル１０ｂにより受信して、これを復調した上で乗りかご制御装置１７に出力する。
【００１６】
同様に、無線データ伝送装置９ｂは乗りかご５からエレベータ制御装置１への出力対象となる信号を変調して、この信号を第２の漏洩同軸ケーブル１０ｂから無線データ伝送装置９ａに送信する。無線データ伝送装置９ａは無線データ伝送装置９ｂから送信された信号を第１の漏洩同軸ケーブル１０ａにより受信して、これを復調した上でエレベータ制御装置１に出力する。
【００１７】
図２は、本発明の実施形態にしたがったエレベータの昇降路１４側に取り付けた第１の漏洩同軸ケーブル１０ａおよび乗りかご５に取り付けた第２の漏洩同軸ケーブル１０ｂの位置関係を示す図である。
【００１８】
本発明の実施形態にしたがったエレベータでは第１の漏洩同軸ケーブル１０ａに漏洩同軸ケーブル被覆３３ａが設けられる。漏洩同軸ケーブル被覆３３ａの中の外部導体にはスロット３１ａ〜３１ｈと呼ばれる多数の孔が設けられる。同様に第２の漏洩同軸ケーブル１０ｂには漏洩同軸ケーブル被覆３３ｂが設けられる。漏洩同軸ケーブル被覆３３ｂの中の外部導体にはスロット３２ａ〜３２ｆと呼ばれる多数の孔が設けられる。
【００１９】
第１の漏洩同軸ケーブル１０ａ内の隣接する複数のスロット３１ａ〜３１ｈが相互に作用して送受信アンテナとして機能する。同様に第２の漏洩同軸ケーブル１０ｂ内の隣接する複数のスロット３２ａ〜３２ｆが相互に作用して送受信アンテナとして機能する。
【００２０】
スロット３１ａ〜３１ｈ及びスロット３２ａ〜３２ｆで送受信する主たる電波は指向性を有する。エレベータシステムで用いる無線データ伝送装置９ａ，９ｂでは電波をできるだけ効率よく必要な範囲内でのみ送受信できることが望ましい。
【００２１】
そこで、本発明の実施形態では第１の漏洩同軸ケーブル１０ａと第２の漏洩同軸ケーブル１０ｂを並行して配置し、第１の漏洩同軸ケーブル１０ａのスロットからの主たる漏洩電波の方向２１が第２の漏洩同軸ケーブル１０ｂのスロットからの主たるの漏洩電波の方向２２と対向するように第１の漏洩同軸ケーブル１０ａ及び第２の漏洩同軸ケーブル１０ｂの間に間隔を設けて乗りかご５および昇降路１４内および乗りかご５にそれぞれ据付け固定する。
【００２２】
ただし、前述した漏洩電波の方向２１は第１の漏洩同軸ケーブル１０ａの方向に対して斜めの方向であり、漏洩電波の方向２２は第２の漏洩同軸ケーブル１０ｂの方向に対して斜めの方向である。
【００２３】
ここでは、漏洩電波の方向２１，２２が対向するように第１の漏洩同軸ケーブル１０ａ内を伝わる送信電力の進行方向と第２の漏洩同軸ケーブル１０ｂ内を伝わる送信電力の進行方向とが反対になるようにしている。具体的には、昇降路１４内に取り付けた第１の漏洩同軸ケーブル１０ａの上端部に無線伝送手段９ａを接続し、乗りかご５に取り付けた第２の漏洩同軸ケーブル１０ｂの下端部に無線伝送手段９ｂを接続する。つまり終端抵抗１１ａは第１の漏洩同軸ケーブル１０ａの下端部に取り付けられ、終端抵抗１１ｂは第２の漏洩同軸ケーブル１０ｂの上端部に取り付けられる。
【００２４】
また、第１の漏洩同軸ケーブル１０ａと第２の漏洩同軸ケーブル１０ｂの漏洩電波の送受信角度がケーブルに対して垂直の角度である場合、第１の漏洩同軸ケーブル１０ａに対して第２の漏洩同軸ケーブル１０ｂの上下を逆にして、第１の漏洩同軸ケーブル１０ａと第２の漏洩同軸ケーブル１０ｂを並行して配置し、各々のスロットからの主たる漏洩電波の方向を対向させてこれら漏洩同軸ケーブルの据付け位置を定めても良いし、第１の漏洩同軸ケーブル１０ａの終端に設けられる終端抵抗１１ａの取り付け方向に対して第２の漏洩同軸ケーブル１０ｂの終端方向を上下逆にして終端抵抗１１ｂを取り付けて該第１及び第２の漏洩同軸ケーブルの据付け位置を定めても良い。
【００２５】
このような形態とすれば、漏洩同軸ケーブルにより形成された無線伝送路近傍で十分な電界強度が得られると共に、乗りかご５の位置によらず電界強度の変動が抑制されるので、より安定した無線伝送が行なえる。
【００２６】
前述したように、本発明の実施形態にしたがったエレベータでは第２の漏洩同軸ケーブル１０ｂの設置箇所の調整機構１５を備える。図３は、本発明の実施形態にしたがったエレベータの乗りかご５に取り付ける第２の漏洩同軸ケーブル１０ｂの設置箇所の調整機構１５の一例を示す図である。  
この調整機構１５はかご側固定具４１、ケーブル固定具４３およびボルトネジ４４でなる。
【００２７】
本発明の実施形態にしたがったエレベータでは、乗りかご５の側面にかご側固定具４１が少なくとも２箇所に取り付けられる。かご側固定具４１には長穴４２が設けられる。  
また、第２の漏洩同軸ケーブル１０ｂはケーブル固定具４３のリング部分で漏洩同軸ケーブル被覆３３ｂを把持して取り付けられる。ケーブル固定具４３のリング部分には側板が連なる。ケーブル固定具４３の側板にはボルトネジ４４をねじ込むための穴が設けられ、ボルトネジ４４をかご側固定具４１の長穴４２を介してケーブル固定具４３の穴にねじ込む事で第２の漏洩同軸ケーブル１０ｂの位置が固定される。
【００２８】
このような形態とすれば、かご側固定具４１に設けた長穴４２の前後方向の長さの範囲内（矢印Ａ）でかご側固定具４１とケーブル固定具４３の前後方向の位置関係を調整することができる。つまり第２の漏洩同軸ケーブル１０ｂの設置箇所を調整することができる。これにより、第２の漏洩同軸ケーブル１０ｂと第１の漏洩同軸ケーブル１０ａとの間隔及び漏洩電波の対向角度を調整する事ができ、最良の電界強度が得られるように調整することができる。
【００２９】
また、かご側固定具４１をＬ字型とした上で、このかご側固定具４１における長穴９２が設けられた板と連なる側板に別の長穴をさらに設け、乗りかご５にネジ止め用の穴を設け、前述したように第２の漏洩同軸ケーブル１０ｂを取り付けたケーブル固定具４３をかご側固定具４１に固定した状態で、長穴９２が設けられた板と連なる側板の長穴と乗りかご５側の穴に新たなボルトネジをねじ込む事で第２の漏洩同軸ケーブル１０ｂの位置を固定する構成としても良い。このような構成とすれば第２の漏洩同軸ケーブル１０ｂの位置を左右方向にも調整することができる。
【００３０】
図４は、本発明の実施形態にしたがったエレベータの昇降路への漏洩同軸ケーブルの取り付け形態の一例を示す図である。  
本発明の実施形態にしたがったエレベータでは、昇降路１４内の建屋梁５１などを利用してブラケット（固定部材）５２が取り付けられる。また、レールクリップ５４がガイドレール１０３に取り付けられる。レールクリップ５４はブラケット５２にガイドレール５３を固定するための部材である。レールクリップ５４はガイドレール５３の長辺の一方および他方からそれぞれ突出する。レールクリップ５４にはボルトネジ５５をねじ込むためのねじ穴が設けられる。ねじ穴はブラケット５２にも設けられる。
【００３１】
また、第１の漏洩同軸ケーブル１０ａはケーブル固定具５６のリング部分で漏洩同軸ケーブル被覆３３ａを把持して取り付けられる。ケーブル固定具５６のリング部分に連なる側板にはボルトネジ５５をねじ込むためのねじ穴が設けられる。ボルトネジ５５をブラケット５２のねじ穴、レールクリップ５４のねじ穴およびケーブル固定具５６のねじ穴にねじ込むことでガイドレール５３の位置および第１の漏洩同軸ケーブル１０ａの位置が固定される。  
また、ケーブル固定具５６を固定するための新たなねじ穴をブラケット５２に設け、このねじ穴とケーブル固定具５６のねじ穴に別のボルトネジをねじ込むことで第１の漏洩同軸ケーブル１０ａの位置を固定する構成としても良い。
【００３２】
このような形態とすれば、昇降路側の第１の漏洩同軸ケーブル１０ａの位置が固定されるので、第１の漏洩同軸ケーブル１０ａと第２の漏洩同軸ケーブル１０ｂとの距離及び電波の対向角度を一定に維持できる。よって、より安定した無線伝送を行なうことができ、第１の漏洩同軸ケーブル１０ａにかかる荷重を低減させることができる。
【００３３】
また、この形態では、ガイドレール５３を取り付けるためのブラケット５２に対しケーブル固定具５６を介して第１の漏洩同軸ケーブル１０ａを取り付けているので、第１の漏洩同軸ケーブル１０ａを取り付けるために昇降路１４側に新たな固定用部材を設ける必要はなく、経済的に優れている。
【００３４】
なお、この発明は前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００３５】
【図１】本発明の実施形態にしたがったエレベータの構成例を示す鳥瞰図。
【図２】本発明の実施形態にしたがったエレベータの昇降路側に取り付けた第１の漏洩同軸ケーブルおよび乗りかごに取り付けた第２の漏洩同軸ケーブルの位置関係を示す図。
【図３】本発明の実施形態にしたがったエレベータの乗りかごに取り付けた第２の漏洩同軸ケーブルの設置箇所の調整機構の一例を示す図。
【図４】本発明の実施形態にしたがったエレベータの昇降路への第１の漏洩同軸ケーブルの取り付け形態の一例を示す図。
【符号の説明】
【００３６】
１…エレベータ制御装置、２…シーブ、３…主索、４…つり合いおもり、５…乗りかご、９ａ，９ｂ…無線データ伝送装置、１０ａ…昇降路側に敷設する第１の漏洩同軸ケーブル、１０ｂ…乗りかご側に敷設する第２の漏洩同軸ケーブル、１１ａ，１１ｂ…終端抵抗、１２ａ，１２ｂ…給電線、１３…機械室、１４…昇降路、１５…調整機構、１７…乗りかご制御装置、２１，２２…電波漏洩方向、３１ａ，３１ｂ，３１ｃ，３１ｄ，３１ｅ，３１ｆ，３１ｇ，３１ｈ，３２ａ，３２ｂ，３２ｃ，３２ｄ，３２ｅ，３２ｆ…スロット、３３ａ，３３ｂ…漏洩同軸ケーブル被覆、４１…かご側固定具、４２…長穴、４３，５６…ケーブル固定具、４４，５５…ボルトネジ、５１…建屋梁、５２…ブラケット、５３…ガイドレール、５４…レールクリップ。
【図１】
2007091441.tif 000003
【図２】
2007091441.tif 000004
【図３】
2007091441.tif 000005
【図４】
2007091441.tif 000006
【手続補正書】
【提出日】平成18年9月20日(2006.9.20)
【手続補正１】
【補正対象書類名】特許請求の範囲
【補正対象項目名】請求項１
【補正方法】変更
【補正の内容】
【請求項１】
主制御装置からの信号を当該主制御装置による走行制御対象の乗りかご側の制御装置に向けて無線伝送する無線伝送手段に接続する第１の漏洩同軸ケーブルと、
前記乗りかご側の制御装置からの信号を主制御装置に向けて無線伝送する無線伝送手段に接続する第２の漏洩同軸ケーブルとを備え、
前記第１の漏洩同軸ケーブルと前記第２の漏洩同軸ケーブルを並行して配置し、各々の漏洩同軸ケーブルに設けられたスロットからの無線電波の送受信方向を対向させ、各々の漏洩同軸ケーブルが受信する電波の強度が予め定められた条件を満たすように、各漏洩同軸ケーブルの間隔を設けて据付け固定する
ことを特徴とするエレベータの信号伝送装置。
【手続補正２】
【補正対象書類名】明細書
【補正対象項目名】０００８
【補正方法】変更
【補正の内容】
【０００８】
すなわち、本発明に係わるエレベータの信号伝送装置は、主制御装置からの信号を当該主制御装置による走行制御対象の乗りかご側の制御装置に向けて無線伝送する伝送手段に接続する第１の漏洩同軸ケーブルと、乗りかご側の制御装置からの信号を主制御装置に向けて無線伝送する伝送手段に接続する第２の漏洩同軸ケーブルとを備え、第１の漏洩同軸ケーブルと第２の漏洩同軸ケーブルを並行して配置し、各々の漏洩同軸ケーブルに設けられたスロットからの無線電波の送受信方向を対向させ、各々の漏洩同軸ケーブルが受信する電波の強度が予め定められた条件を満たすように各漏洩同軸ケーブルの間で間隔を設けて据付け固定することを特徴とする。
【手続補正３】
【補正対象書類名】明細書
【補正対象項目名】０００９
【補正方法】変更
【補正の内容】
【０００９】
本発明に係わるエレベータの信号伝送装置では、第１の漏洩同軸ケーブルと第２の漏洩同軸ケーブルを並行して配置し、各々の漏洩同軸ケーブルに設けられたスロットからの無線電波の送受信方向を対向させて無線伝送するので、十分な電界強度が得られると共に電界強度の変動を抑制できるため、主制御装置側と乗りかご側との間で信号の安定した無線伝送を行なうことができる。
【手続補正４】
【補正対象書類名】明細書
【補正対象項目名】００２１
【補正方法】変更
【補正の内容】
【００２１】
そこで、本発明の実施形態では第１の漏洩同軸ケーブル１０ａと第２の漏洩同軸ケーブル１０ｂを並行して配置し、第１の漏洩同軸ケーブル１０ａのスロットからの主たる漏洩電波の方向２１が第２の漏洩同軸ケーブル１０ｂのスロットからの主たる漏洩電波の方向２２と対向するように第１の漏洩同軸ケーブル１０ａ及び第２の漏洩同軸ケーブル１０ｂの間に間隔を設けて乗りかご５および昇降路１４内にそれぞれ据付け固定する。
【手続補正５】
【補正対象書類名】明細書
【補正対象項目名】００２３
【補正方法】変更
【補正の内容】
【００２３】
ここでは、漏洩電波の方向２１，２２が対向するように第１の漏洩同軸ケーブル１０ａ内を伝わる送信電力の進行方向と第２の漏洩同軸ケーブル１０ｂ内を伝わる送信電力の進行方向とが反対になるようにしている。具体的には、昇降路１４内に取り付けた第１の漏洩同軸ケーブル１０ａの上端部に無線データ伝送装置９ａを接続し、乗りかご５に取り付けた第２の漏洩同軸ケーブル１０ｂの下端部に無線データ伝送装置９ｂを接続する。つまり終端抵抗１１ａは第１の漏洩同軸ケーブル１０ａの下端部に取り付けられ、終端抵抗１１ｂは第２の漏洩同軸ケーブル１０ｂの上端部に取り付けられる。
【手続補正６】
【補正対象書類名】明細書
【補正対象項目名】００２４
【補正方法】変更
【補正の内容】
【００２４】
また、第１の漏洩同軸ケーブル１０ａと第２の漏洩同軸ケーブル１０ｂの漏洩電波の送受信角度がケーブルに対して垂直の角度である場合、第１の漏洩同軸ケーブル１０ａに対して第２の漏洩同軸ケーブル１０ｂの上下を逆にして、第１の漏洩同軸ケーブル１０ａと第２の漏洩同軸ケーブル１０ｂを並行して配置し、各々の漏洩同軸ケーブルに設けられたスロットからの主たる漏洩電波の方向を対向させてこれら漏洩同軸ケーブルの据付け位置を定めても良いし、第１の漏洩同軸ケーブル１０ａの終端に設けられる終端抵抗１１ａの取り付け方向に対して第２の漏洩同軸ケーブル１０ｂの終端方向を上下逆にして終端抵抗１１ｂを取り付けて該第１及び第２の漏洩同軸ケーブルの据付け位置を定めても良い。
【手続補正７】
【補正対象書類名】明細書
【補正対象項目名】００３０
【補正方法】変更
【補正の内容】
【００３０】
本発明の実施形態にしたがったエレベータでは、昇降路１４内の建屋梁５１などを利用してブラケット（固定部材）５２が取り付けられる。また、レールクリップ５４がガイドレール５３に取り付けられる。レールクリップ５４はブラケット５２にガイドレール５３を固定するための部材である。レールクリップ５４はガイドレール５３の長辺の一方および他方からそれぞれ突出する。レールクリップ５４にはボルトネジ５５をねじ込むためのねじ穴が設けられる。ねじ穴はブラケット５２にも設けられる。